(57)【特許請求の範囲】
【請求項１】
支柱に固定される基台金具と、
該基台金具に取り付けてあるアンテナ一体型無線送受信装置と、
上記アンテナ一体型無線送受信装置のアジマスが調整されるように、該基台金具を該支柱に抱きつけて且つ該支柱を中心として回動する方向に動くように取り付ける抱きつけ取り付け構造部と、
該アンテナ一体型無線送受信装置のエレベーションを調整するエレベーション調整機構とを有し、
上記アンテナ一体型無線送受信装置は、被掛止部を有し、
上記基台金具は、該アンテナ一体型無線送受信装置の該被掛止部を掛止する掛止部を有し、且つ、上側に、閉じられた状態で上記アンテナ一体型無線送受信装置の上側を覆うように蝶番により開閉可能に支持されており、ラグ部を有する日除け蓋を有し、
上記アンテナ一体型無線送受信装置は、上記被掛止部を上記基台金具の該掛止部に掛止されて上記基台金具に取り付けてあり、
上記日除け蓋は、閉じた状態に固定してあり、上記取付けられたアンテナ一体型無線送受信装置の上側を覆うと共に、上記ラグ部が、上記基台金具の上記掛止部に掛止されている上記被掛止部を押さえた構成としたことを特徴とするアンテナ装置。
【発明の詳細な説明】
【０００１】
【産業上の利用分野】
本発明はアンテナ装置に係り、特にミリ波帯の電波を利用する無線通信方式、例えば、加入者無線方式及びセル間無線方式等に使用されるアンテナ装置に関する。構造的には、本発明は、アンテナ本体がねじ止めされた無線送受信装置、即ち、アンテナ一体型無線送受信装置を、支柱の周面側に取り付けた構造のアンテナ装置に関する。
【０００２】
現在、アンテナ装置においては、部品点数を削減して製造コストを下げることが求められている。また、一般に、アンテナ装置は、相手側となるアンテナ装置との関係で、アジマス調整（垂直軸周りの調整）及びエレベーション調整（水平軸周りの調整）をして据え付けられるものである。よって、アンテナ装置は、アジマス調整及びエレベーション調整が可能であって、且つ、部品点数が少ないことが求められている。
【０００３】
【従来の技術】
図４、及び図５は、従来の１例のアンテナ装置１０を示す。アンテナ装置１０は、支柱１１に固定されて支柱１１より水平に横に延びている支持腕１２と、支持腕１２の先端側のアジマス・エレベーション調整機構部１３と、アジマス・エレベーション調整機構部１３に固定されたアンテナ一体型無線送受信装置１４とを有する。
【０００４】
アジマス・エレベーション調整機構部１３は、支持腕１２上に固定してある基台２０と、基台２０上に載っており矢印Ａ方向（基台２０の垂直中心軸線２０ａを中心とする回転方向である）上任意の位置にねじ固定される第１の台２１と、第１の台２１の側面の軸２３に支持されて矢印Ｅ方向（水平である軸２３を中心とする回転方向である）上任意の位置にねじ固定される第２の台２２と、第２の台２２と第１の台２１との間のエレベーション調整機構２４とよりなる。
【０００５】
アンテナ一体型無線送受信装置１４は、無線送受信装置３１にアンテナ本体３０が取り付けてある構造である。アンテナ一体型無線送受信装置１４は、無線送受信装置３１及びアンテナ本体３０の他に、レドーム３２と、日除けカバー３３と、取付け用金具３４とを有する。
【０００６】
アンテナ一体型無線送受信装置１４は、取付け用金具３４を上記第２の台２２に固定されて、第２の台２２上に固定してある。
アンテナ装置１０は、第１の台２１のねじ固定位置を矢印Ａ方向に適宜ずらすことによって、アンテナ一体型無線送受信装置１４が垂直中心軸線２０ａ周りに少しふられて、アジマス調整がなされ、且つ、エレベーション調整機構２４を操作して第２の台２２を矢印Ｅ方向に適宜動かすことによって、アンテナ一体型無線送受信装置１４が水平の軸２３周りに少しふられて、エレベーション調整がなされた状態とされて、支柱１１に固定してある。
【０００７】
【発明が解決しようとする課題】
しかるに、従来のアンテナ装置１０は、アジマス調整専用の機構及びエレベーション調整専用の機構を設けた構成であり、部品点数が多く、製造コストが高いものであった。
【０００８】
また、アンテナ装置１０を設置するには、アンテナ一体型無線送受信装置１４を据えつける作業の前に、支持腕１２を支柱１１に固定する作業と固定した支持腕１２の先端側にアジマス・エレベーション調整機構部１３を取り付ける作業との２つの作業が必要となり、アンテナ装置１０を設置する作業が面倒であった。
【０００９】
そこで、本発明は上記課題を解決したアンテナ装置を提供することを目的とする。
【００１０】
【課題を解決するための手段】
請求項１の発明は、支柱に固定される基台金具と、
該基台金具に取り付けてあるアンテナ一体型無線送受信装置と、
上記アンテナ一体型無線送受信装置のアジマスが調整されるように、該基台金具を該支柱に抱きつけて且つ該支柱を中心として回動する方向に動くように取り付ける抱きつけ取り付け構造部と、
該アンテナ一体型無線送受信装置のエレベーションを調整するエレベーション調整機構とを有し、
上記アンテナ一体型無線送受信装置は、被掛止部を有し、
上記基台金具は、該アンテナ一体型無線送受信装置の該被掛止部を掛止する掛止部を有し、且つ、上側に、閉じられた状態で上記アンテナ一体型無線送受信装置の上側を覆うように蝶番により開閉可能に支持されており、ラグ部を有する日除け蓋を有し、
上記アンテナ一体型無線送受信装置は、上記被掛止部を上記基台金具の該掛止部に掛止されて上記基台金具に取り付けてあり、
上記日除け蓋は、閉じた状態に固定してあり、上記取付けられたアンテナ一体型無線送受信装置の上側を覆うと共に、上記ラグ部が、上記基台金具の上記掛止部に掛止されている上記被掛止部を押さえた構成としたものである。
【００１６】
【発明の実施の形態】
図１及び図２は、本発明の一実施例になるアンテナ装置４０を示す。図３は、アンテナ装置４０の要部を分解して示す。
アンテナ装置４０は、アンテナ一体型無線送受信装置４１が、垂直に立っており、断面が円形である支柱４２の周面側に取り付けられた構造である。アンテナ装置４０は、大略、支柱４２に固定される基台金具４３と、この基台金具４３を支柱４２に抱きつけて、支柱４２を中心として回転する方向に調整可能に取り付ける抱きつけ取り付け構造部４４と、支柱４２に固定してあり、基台金具４３が滑り落ちないように支える支え金具構造部４５と、基台金具４３のフック部４３ａに引っかけられて取り付けてあるアンテナ一体型無線送受信装置４１と、基台金具４３とアンテナ一体型無線送受信装置４１との間に設けてあるエレベーション調整機構４６とを有する。アンテナ一体型無線送受信装置４１は基台金具４３のフック部４３ａに引っかけられているので、設置途中の段階では、アンテナ一体型無線送受信装置４１は、引っかかっている箇所を支点として、前後に少し振れて変位可能である。
【００１７】
アンテナ一体型無線送受信装置４１は、直方体形状の箱内に収まっている無線送受信装置４７と、無線送受信装置４７の前面にねじ５１によりねじ止めしてある引っかけ用金具４８と、無線送受信装置４７の前面に取り付けてあるアンテナ本体４９とよりなる。アンテナ本体４９の前面には、レドーム５０が取り付けてある。アンテナ一体型無線送受信装置４１の重量は、約１０ｋｇである。
【００１８】
引っかけ用金具４８は、略正方形を有する本体部４８ａと、本体部４８ａの両側よりＹ１方向、即ち、基台金具４３の方向に張り出たフランジ部４８ｂ，４８ｃとを有する。本体部４８ａの中央には、アンテナ本体４９を無線送受信装置４７の前面に取り付けるための開口４８ａ−１が形成してある。各フランジ部４８ｂ，４８ｃには、被被掛止部としての頭付きのピン５２が固定してあり、内側に突き出ている。本体部４８ａには、アンテナ一体型無線送受信装置４１を持ち運び易いように把手５３が取り付けてある。把手５３は、通常は下方に移動した位置に収まっており、使用時に上に引上げられて把持可能とされる。フランジ部４８ｂ，４８ｃは、頭付きのピン５２が固定される場所を提供すると共に、無線送受信装置４７の側面４７ａの一部を覆う。本体部４８ａは、無線送受信装置４７の前面４７ｂを覆う。
【００１９】
基台金具４３は、無線送受信装置４７より少し大きめの略正方形を有する本体部４３ａと、本体部４３ａの両側よりＹ２方向に張り出たフランジ部４３ｂ，４３ｃと、本体部４３ａの下縁よりＹ２方向に張り出たフランジ部４３ｄとを有する。本体部４３ａの上縁には、日除け蓋５５が蝶番５６により取り付けてある。日除け蓋５０は、閉じた状態で、無線送受信装置４７の上面４７ｃを覆う。
【００２０】
フランジ部４３ｂ，４３ｃには、掛止部としてのフック部４３ｂ−１，４３ｃ−１、及び円弧穴４３ｂ−２，４３ｃ−２が形成してある。日除け蓋５５は、閉じた状態で、上記の頭付きのピン５２を押さえるラグ部５５ａ，５５ｂを有する。
【００２１】
本体部４３ａには、窓４３ａ−１が、無線送受信装置４７の背面４７ｄの表示部４７ｅ及び端子部４７ｆに対向する部位に形成してある。
本体部４３ａの背面の上下寄りの位置に、Ｕ型金具５７，５８がＸ１，Ｘ２方向に延在して固定してある。
【００２２】
Ｕ型金具５８の両側に、折り畳み式であり、アジマス調整時に把持されるハンドル５９、６０が設けてある。
抱きつけ取り付け構造部４４は、２つのＵボルト６５、６６を有する。
Ｕボルト６５、６６は、夫々支柱４２を抱え込んでおり、Ｕ型金具５７，５８の穴、基台金具４３の本体部４３ａの穴４３ａ−２を貫通している先端側にナット６７が螺合して締めてある。これにより、基台金具４３は、２つのＵボルト６５、６６によって、支柱４２に抱きついた状態で取り付けてある。
【００２３】
支え金具構造部４５は、Ｕ型金具７０，７１が支柱４２を挟み込むようにボルト７２で固定してあり、支柱４２のうちアンテナ一体型無線送受信装置４１を設置する高さの位置に固定してある。Ｕ型金具７０，７１の上面には、滑り摩擦を少なくするために、合成樹脂製の板７３が貼ってある。支え金具構造部４５は、基台金具４３のフランジ部４３ｄを支える役割を有する。
【００２４】
エレベーション調整機構４５は、先端に横に突き出た軸状の頭部８０ａを有する略Ｔ字状のボルト８０と、引っかけ用金具４８の本体部４８ａの裏面の軸受け機構部８１と、基台金具４３の本体部４３ａに固定してある穴あきの台座８２と、台座８２を挟む２つのナット８３、８４を有する。軸受け機構部８１は、受け台８１ａと押さえ部材８１ｂとよりなる。ボルト８０は、頭部８０ａを軸受け機構部８１に支持されて、Ｙ１方向に延在しており、他端は、穴あきの台座８２の穴を貫通しており、ナット８３、８４がボルト８０と螺合して台座８２を挟み込んでいる。
【００２５】
ねじ９０はエレベーション調整が完了したのちに締められて、引っかけ用金具４８のフランジ４８ｂを基台金具４３に固定する。
アンテナ一体型無線送受信装置４１は、基台金具４３に対しては、上部については、頭付きのピン５２をフック部４３ｂ−１，４３ｃ−１に掛止されて、且つねじ９０によりねじ止めされて、下部については、ナット８３、８４が締められたエレベーション調整機構４６によって、固定してある。
【００２６】
以上が、アンテナ装置４０の構成である。
上記構成のアンテナ装置４０は例えば以下の手順で設置される。
▲１▼  支え金具構造部４５を、支柱４２のうちアンテナ一体型無線送受信装置４１を設置する高さの位置にしっかり固定する。
【００２７】
▲２▼  基台金具４３を、支え金具構造部４５に載せた状態で、抱きつけ取り付け構造部４４を使用して支柱４２に固定する。基台金具４３の向きは、おおよそ、アンテナを向ける方向に決める。ナット６７は、基台金具４３を少し回動可能な程度に締めておく。
【００２８】
▲３▼  頭付きのピン５２をフック部４３ｂ−１，４３ｃ−１に引っかけて、アンテナ一体型無線送受信装置４１を基台金具４３の前側に支持する。
▲４▼  日除け蓋５５を閉じて、ねじ９１でねじ止め固定する。
▲５▼  エレベーション調整機構４５を組立て、エレベーション調整が可能な状態とする。
【００２９】
▲６▼  アジマス調整を行う。
▲７▼  最後に、エレベーション調整を行う。
次に、アジマス調整について説明する。
アジマス調整は、窓４３ａ−１から無線送受信装置４７の背面４７ｄの端子部４７ｆを操作し、ハンドル５９、６０を横に倒し、ハンドル５９、６０を把持して、窓４３ａ−１から表示部４７ｅを見ながら、基台金具４３をアンテナ一体型無線送受信装置４１ごと、支柱４２を中心に矢印Ａ方向に少し回し、表示部４７ｅの表示値が最大となった位置で止め、ナット６７をきつく締めることにより完了する。
【００３０】
アジマス調整の途中では、ナット６７が緩くなっているけども、基台金具４３のフランジ部４３ｃが支柱４２にしっかり固定してある支え金具構造部４５に載って支えられているため、アンテナ一体型無線送受信装置４１がずれ落ちる危険はない。よって、アジマス調整は、安全に行われる。
【００３１】
また、基台金具４３のフランジ部４３ｃは、フランジ部４３ｃとの間の摩擦抵抗が小さい合成樹脂製の板７３上を滑るため、アンテナ一体型無線送受信装置４１は、合成樹脂製の板７３がない場合に比べて、比較的軽い力で動く。よって、アジマス調整は、円滑に行われる。
【００３２】
次に、エレベーション調整について説明する。
エレベーション調整は、窓４３ａ−１から表示部４７ｅを見ながら、ナット８３、８４のうち一方を弛める方向に回し、他方を締める方向に回して行う。この操作により、ボルト８０の基台金具４３と引っかけ用金具４８との間の長さが変化し、アンテナ一体型無線送受信装置４１がピン５２を中心に矢印Ｅ方向に少し回動してアンテナ一体型無線送受信装置４１の姿勢が少し変化し、表示部４７ｅの表示値が最大となった位置で止め、ナット８３、８４を台座８２をきつく挟むようにきつく締めることにより完了する。最後に、ねじ９０をきつく締める。
【００３３】
また、把手５３を利用することにより、アンテナ一体型無線送受信装置４１の運搬はし易い。よって、上記▲３▼の作業は作業性良く行える。
また、上記▲３▼の作業は、頭付きのピン５２をフック部４３ｂ−１，４３ｃ−１に引っかけるだけで済む。よって、アンテナ一体型無線送受信装置４１を基台金具４３の前側に支持する上記▲３▼の作業は、ねじ締め等の手間の掛かる作業が必要でなく、作業性良く行える。
【００３４】
また、上記○３の作業に続いて上記○４の作業を行うことにより、アンテナ一体型無線送受信装置４１が落下する危険は無くなり、安全である。日除け蓋５５を閉じて、ねじ９０を締めてねじ止め固定することにより、ラグ部５５ａ，５５ｂが頭付きのピン５２を押さえて、頭付きのピン５２がフック部４３ｂ−１，４３ｃ−１から抜け出ないようになるからである。
【００３５】
なお、アンテナ装置４０が設置されて使用されている状態において、基台金具４３はアンテナ一体型無線送受信装置４１の背面４７ｄを覆っており、日除け部の一部としての役割を有する。
【００３６】
【発明の効果】
上述の如く、請求項１の発明によれば、アンテナ一体型無線送受信装置を基台金具の前側に支持するには、アンテナ一体型無線送受信装置の被掛止部を基台金具の掛止部に引っかけるだけで済み、ねじ締め等の手間の掛かる作業が必要でなく、作業性良く行える。また、日除け蓋を閉じた状態に固定するとラグ部が被掛止部を押さえるため、被掛止部が掛止部から外れてアンテナ一体型無線送受信装置が落下する危険は無くなり、アンテナ一体型無線送受信装置を支柱に取り付ける作業を安全に行うことが出来る。
【図面の簡単な説明】
【図１】本発明の一実施例のアンテナ装置を背面側から見た斜視図である。
【図２】図１のアンテナ装置の側面図である。
【図３】図１及び図２のアンテナ装置の分解斜視図である。
【図４】従来の１例のアンテナ装置の斜視図である。
【図５】図４のアンテナ装置の分解斜視図である。
【符号の説明】
４０  アンテナ装置
４１  アンテナ一体型無線送受信装置
４２  円柱の支柱
４３  基台金具
４３ａ  本体部
４３ａ−１  窓
４３ｂ−１，４３ｃ−１  フック部
４４  抱きつけ取り付け構造部
４５  支え金具構造部
４６  エレベーション調整機構
４７  無線送受信装置
４７ｅ  表示部
４８  引っかけ用金具
４９  アンテナ本体
５０  レドーム
５２  頭付きのピン
５５  日除け蓋
５５ａ，５５ｂ  ラグ部
５６  蝶番
５９、６０  ハンドル
６５、６６  Ｕボルト
７０、７１  Ｕ型金具
８０  略Ｔ字状のボルト
８０ａ  頭部
８１  軸受け機構部
８２  台座
８３、８４  ナット
【図１】
0003667423.tif 000002
【図２】
0003667423.tif 000003
【図３】
0003667423.tif 000004
【図４】
0003667423.tif 000005
【図５】
0003667423.tif 000006